(57)【特許請求の範囲】
【請求項１】
機台（２）を備え、前記機台（２）に破砕機（４）を備えると共に、前記破砕機４で破砕した破砕物を外部に排出する排出コンベア（１１）と、前記排出コンベア（１１）の排出端側に破砕物の飛散を防止する飛散防止用カバー（２５）とを備えて、前記飛散防止用カバー（２５）は、略三角形状となる左右の側板（２６）とこの左右の側板（２６）のふちに沿って折れ曲がる天板（２７）とよりなって下方側を開放したバケット状であり、かつ前記排出コンベア（１１）の排出端側に、この排出端側を上方より覆う位置と排出コンベア（１１）の排出端側の上端より上方に飛び出さない位置との間を、回転機構（３２）を介して回転自在に取り付けたことを特徴とする破砕装置。
【発明の詳細な説明】
【０００１】
【発明の属する技術分野】
本発明は、木材等を破砕して処理する破砕装置に関する。
【０００２】
【従来の技術】
従来、破砕装置の一種である木材破砕装置が知られていた。この木材破砕装置としては、履体を有しかつ後方内部にエンジン等の動力源を搭載した機台を備える。そして、前記機台の上に破砕機を備え、この破砕機は上方より投入された木材等を破砕機本体で破砕して、下方より破砕物を排出する。そして、前記機台の下部で破砕機の下方に排出コンベアを備え、この排出コンベアは機台の下部から斜め上方に向かって伸びて所定の高さ位置まで達するようになり、破砕機より排出した破砕物を排出コンベアの排出端側より地面の所定位置に落下、あるいはトラックの荷台に積み込むようにしていた。
【０００３】
【発明が解決しようとする課題】
かかる従来の木材破砕装置において、排出コンベアの排出端側より破砕物を下方に落下させて外部に排出する際、破砕物、特に粉体が風等によって吹き飛ばされて、地面の所定位置に落下させて積み上げることができない、あるいはトラックの荷台に積み込むことができないといった問題があった。また、作業環境が悪いと言う問題もあった。
【０００４】
【課題を解決するための手段及び作用】
本発明は、機台を備え、前記機台に破砕機を備えると共に、前記破砕機で破砕した破砕物を外部に排出する排出コンベアと、前記排出コンベアの排出端側に破砕物の飛散を防止する飛散防止用カバーとを備えて、前記飛散防止用カバーは、略三角形状となる左右の側板とこの左右の側板のふちに沿って折れ曲がる天板とよりなって下方側を開放したバケット状であり、かつ前記排出コンベアの排出端側に、この排出端側を上方より覆う位置と排出コンベアの排出端側の上端より上方に飛び出さない位置との間を、回転機構を介して回転自在に取り付けた破砕装置である。
【０００５】
本発明によれば、破砕作業時、破砕機で破砕した破砕物を排出コンベアの排出端側より下方に落下させて外部に排出する際、排出コンベアの排出端側に取り付けた飛散防止用カバーにより破砕物が搬送速度，風等によって吹き飛ばされるのを無くして、地面の所定位置に確実に積み上げる、あるいはトラックの荷台に確実に積み込むことができる。
【０００７】
また、本発明によれば、飛散防止用カバーを回転自在に取り付けたことにより、飛散防止用カバーが不要の場合、飛散防止用カバーを回転して、排出コンベアの排出端側の上端より上方に飛び出さないようにすることができ、破砕装置における最大高さが高くなるのを防止することで、例えば、破砕装置をトラックの荷台等に載せて輸送する際、輸送高さ制限をクリアすることができ、輸送性の大幅な向上を図ることができる。
【０００８】
【発明の実施の形態】
本発明による破砕装置である木材破砕装置としては、図１、図２に示すように、左右の履体１を有する機台２を備え、この機台２の後方内部にはエンジン等の動力源３を搭載する。なお、履体１の代わりに車輪でも良く、また、自走式でなく、牽引式、設置式でも良い。
【０００９】
そして、前記機台２の上には破砕機４を備え、破砕機４は上部に３本の支柱５により保持される投入口６を有し、この投入口６の下側に水平回転する円筒状の回転筒体７を有し、この回転筒体７の下側に破砕機本体８を取り付ける。前記破砕機本体８は機台２の前後に向かう軸を中心に油圧モータで回転する回転式破砕体９と、図示していないが、この回転式破砕体９の下側より覆うようになる複数の排出穴を有するスクリーン板とからなり、回転式破砕体９により細かく破砕して、スクリーン板の排出穴より下方に破砕物を排出するようになっている。
【００１０】
そして、前記破砕機４で破砕して下方に排出した破砕物を外部に排出する排出コンベア１１を機台２の下部で破砕機４の下方に備え、ここより斜め上方に延びて破砕機４の上端位置と略同じ高さまで達し、また、中間部において保持アーム１２により機台２に保持されるようになる。そして、図３に示すように、この排出コンベア１１は複数箇所において折れ曲がって上方に反った状態となる左右のフレーム１３を備え、この左右のフレーム１３の下端側にテールプーリ１４を設けると共に、左右のフレーム１３の上端側である排出端側にヘッドプーリ１５を設け、このヘッドプーリ１５にコンベア駆動モータ１６を取り付ける。なお、このヘッドプーリ１５の高さは機台２の上に備えた破砕機４の上端位置と略同じ高さ、すなわち最大高さとする。また、このテールプーリ１４からヘッドプーリ１５にわたって環帯状のベルト１７を取り付けて、このベルト１７の表面にはＶ字形の突起１８を多数設けて、ベルト１７の上の破砕物を確実に前方に搬送するようにしている。さらに、テールプーリ１４とヘッドプーリ１５の間にはベルト支持用ローラ群２０を複数配置し、ベルト１７を支持するようにしている。図４に示すように、この支持用ローラ群２０は左右に向かって配置した３個のローラ２１，２２よりなり、中央のローラ２１を水平に、左右両側のローラ２２を斜めにして、ベルト１７の中央側を窪ませて左右両側を上げることで、ベルト１７の上の破砕物を左右より落ちないようにしている。
【００１１】
また、排出コンベア１１の上側には複数の枠体２３を介して防塵シート２４を取り付けて、ベルト１７の上側全体を覆うようにして、ベルト１７の上の破砕物が搬送速度，風等によって吹き飛ばされるのを防止している。
【００１２】
そして、排出コンベア１１の排出端側に破砕物の飛散を防止する飛散防止用カバー２５を回転自在に取り付ける。図５に示すように、この飛散防止用カバー２５は略三角形状となる左右の側板２６と、この左右の側板２６のふちに沿って折れ曲がる天板２７とから下方側を大きく開放したバケット状とすると共に、左右の側板２６の一端にアーム２８をそれぞれ固着して、排出コンベア１１の排出端側を上方より覆うように配置する。一方、図６、図７に示すように、排出コンベア１１の左右のフレーム１３における排出端側に柱状の支持体３１を左右それぞれに立設し、この左右の支持体３１の上端に回転機構３２を取り付けて、この回転機構３２としては支持体３１の上端に固着する左右に向かうピン３３である。そして、この回転機構３２のピン３３に飛散防止用カバー２５のアーム２８をそれぞれ取り付けることで、飛散防止用カバー２５が回転機構３２を介して回転するようになる。また、排出コンベア１１の排出端側に取り付けた枠体２３にあっては、回転した飛散防止用カバー２５の天板２７が当たるようになり、これ以上、飛散防止用カバー２５が下側に回転しないようにするストッパの役目を果たすようになる。一方、排出コンベア１１の排出端側における最端部にもストッパ体３４を取り付けて、飛散防止用カバー２５が当たるようにすることで、飛散防止用カバー２５を保持する。なお、この飛散防止用カバー２５における回転は、図示していないが、紐等による手動式として良いし、また、油圧モータや油圧シリンダのアクチュエータ等により回転するようにしても良い。また、回転機構３２において、ピン３３の代わりにヒンジ等にしても良い。
【００１３】
このように飛散防止用カバー２５を排出コンベア１１の排出端側に取り付けたことで、木材等を破砕する破砕作業時において、破砕機４で破砕した破砕物を排出コンベア１１の排出端側より下方に落下させて外部に排出する際、排出コンベア１１の排出端側にあっては、ベルト１７上の破砕物を飛散防止用カバー２５により覆うことができ、破砕物が搬送速度，風等によってベルト１７上より吹き飛ばされるのを無くすことができる。これにより、排出コンベア１１の排出端側より破砕物を地面の所定位置に確実に積み上げることができるようになる。あるいは排出コンベア１１の排出端側より破砕物をトラックの荷台に確実に積み込むことができるようになる。
【００１４】
一方、飛散防止用カバー２５を回転自在に取り付けたことで、飛散防止用カバー２５が不要の場合、例えば当該木材破砕装置をトラックの荷台に載せて輸送する輸送時において、飛散防止用カバー２５を回転して、図６において二点鎖線で示すような状態にして、排出コンベア１１の排出端側の上端より飛散防止用カバー２５を上方に飛び出さないようにする。これにより、木材破砕装置における最大高さが高くなるのを防止することで、例えば、木材破砕装置をトラックの荷台等に載せて輸送する際、輸送高さ制限をクリアすることができ、輸送性の大幅な向上を図ることができる。
【００１５】
しかも、このように飛散防止用カバー２５を回転自在に取り付けたことで、排出コンベア１１の排出端側の上端を輸送高さ制限ぎりぎりに設定することができ、排出コンベア１１の排出端側の上端を極力高くすることで、破砕作業時、所定の場所に高く破砕物を積むことができる。これにより、頻繁に木材破砕装置を移動するといったことを無くして、破砕作業時の作業効率を向上することができる。
【００１６】
なお、前述した実施の形態にあって、破砕装置としては、木材等を破砕して破砕物として処理する木材破砕装置であったが、これに限定されるものではなく、他の破砕装置、例えば不要なコンクリート等を破砕する破砕装置等でも良い。
【図面の簡単な説明】
【図１】本発明による破砕装置の全体側面図である。
【図２】本発明による破砕装置の全体平面図である。
【図３】本発明による排出コンベアの側面図である。
【図４】図３におけるＡ−Ａ断面図である。
【図５】本発明による飛散防止用カバーの斜視図である。
【図６】本発明による排出コンベアの排出端側を説明する拡大側面図である。
【図７】本発明による排出コンベアの排出端側を説明する拡大平面図である。
【符号の説明】
１…履体、２…機台、３…動力源、４…破砕機、５…支柱、６…投入口、７…回転筒体、８…破砕機本体、９…回転式破砕体、１１…排出コンベア、１２…保持アーム、１３…フレーム、１４…テールプーリ、１５…ヘッドプーリ、１６…コンベア駆動モータ、１７…ベルト、１８…突起、２０…支持用ローラ群、２１…ローラ、２２…ローラ、２３…枠体、２４…防塵シート、２５…飛散防止用カバー、２６…側板、２７…天板、２８…アーム、３１…支持体、３２…回転機構、３３…ピン、３４…ストッパ体。
【図１】
0004453855.tif 000002
【図２】
0004453855.tif 000003
【図３】
0004453855.tif 000004
【図４】
0004453855.tif 000005
【図５】
0004453855.tif 000006
【図６】
0004453855.tif 000007
【図７】
0004453855.tif 000008